(57)【要約】【課題】発光層への過電圧印加が抑制された容量性表示装置を提供する【解決手段】無機ＥＬ表示装置１は、実質的に透明導電性酸化物からなる複数の走査側電極ラインＸと、複数のデータ側電極ラインＹと、走査側電極ラインＸとデータ側電極ラインＹとの間に設けられた無機ＥＬ発光層１３と、走査側電極ラインＸにフレーム毎に交互に極性の異なるパルス電圧を印加する走査側駆動回路２０と、データ側駆動回路３０とを備えている。データ側駆動回路３０は、走査側駆動回路２０が印加するパルス電圧と同一極性のパルス電圧を印加する非発光フレームにおいて、１又は複数のデータ側電極ラインＹ毎に異なるタイミングでパルス電圧の印加を開始するものである。【選択図】図１
2007219339.tif 000002
【特許請求の範囲】
【請求項１】
実質的に透明導電性酸化物からなり、並行に延びる複数の走査側電極ラインと、
上記複数の走査側電極ラインと交差する方向に並行に延びる複数のデータ側電極ラインと、
上記複数の走査側電極ラインと上記複数のデータ側電極ラインとの間に設けられ、発光閾電圧以上の電圧が印加されることにより発光する容量性発光層と、
上記走査側電極ラインにフレーム毎に交互に極性の異なるパルス電圧を印加する走査側駆動回路と、
上記容量性発光層を発光させる発光フレームにおいて、上記データ側電極ラインに電圧を印加せず、又は上記走査側駆動回路がパルス電圧の印加を開始した後に該走査側駆動回路が印加する電圧と逆極性のパルス電圧を印加して上記容量性発光層に印加される電圧をその発光閾電圧以上とする一方、該容量性発光層を発光させない非発光フレームにおいて、上記データ側電極ラインに電圧を印加せずに、又は上記走査側駆動回路がパルス電圧の印加を開始した後に該走査側駆動回路が印加する電圧と同一極性のパルス電圧を印加して上記容量性発光層に印加される電圧をその発光閾電圧未満とするデータ側駆動回路と、
を備え、
上記データ側駆動回路は、上記走査側駆動回路が印加するパルス電圧と同一極性のパルス電圧を印加する非発光フレームにおいて、１又は複数のデータ側電極ライン毎に異なるタイミングでパルス電圧の印加を開始する容量性表示装置。
【請求項２】
請求項１に記載された容量性表示装置において、
上記データ側駆動回路は、上記走査側駆動回路が印加するパルス電圧と同一極性のパルス電圧を印加する非発光フレームにおいて、その充電時間が上記走査側駆動回路の充電時間よりも長い容量性表示装置。
【請求項３】
実質的に透明導電性酸化物からなり、並行に延びる複数の走査側電極ラインと、
上記複数の走査側電極ラインと交差する方向に並行に延びる複数のデータ側電極ラインと、
上記複数の走査側電極ラインと上記複数のデータ側電極ラインとの間に設けられ、発光閾電圧以上の電圧が印加されることにより発光する容量性発光層と、
上記走査側電極ラインにフレーム毎に交互に極性の異なるパルス電圧を印加する走査側駆動回路と、
上記容量性発光層を発光させる発光フレームにおいて、上記データ側電極ラインに電圧を印加せずに、又は上記走査側駆動回路がパルス電圧の印加を開始した後に該走査側駆動回路が印加する電圧と逆極性のパルス電圧を印加して上記容量性発光層に印加される電圧をその発光閾電圧以上とする一方、該容量性発光層を発光させない非発光フレームにおいて、上記データ側電極ラインに電圧を印加せずに、又は上記走査側駆動回路がパルス電圧の印加を開始した後に該走査側駆動回路が印加する電圧と同一極性のパルス電圧を印加して上記容量性発光層に印加される電圧をその発光閾電圧未満とするデータ側駆動回路と、
を備え、
上記データ側駆動回路は、上記走査側駆動回路が印加するパルス電圧と同一極性のパルス電圧を印加する非発光フレームにおいて、その充電時間が上記走査側駆動回路の充電時間よりも長い容量性表示装置。
【請求項４】
請求項３に記載された容量性表示装置において、
上記データ側駆動回路は、上記走査側駆動回路が印加するパルス電圧と同一極性のパルス電圧を印加する非発光フレームにおいて、１又は複数のデータ側電極ライン毎に異なるタイミングでパルス電圧の印加を開始する容量性表示装置。
【請求項５】
請求項１又は３に記載された容量性表示装置において、
上記各走査側電極ラインは、実質的に透明導電性酸化物からなる容量性表示装置。
【請求項６】
請求項１又は３に記載された容量性表示装置において、
上記走査側駆動回路は、一方の極性の発光閾電圧以上の一方の極性のパルス電圧と、他方の極性の発光閾電圧未満の他方の極性のパルス電圧とを交互に印加するものであり、
上記データ側駆動回路は、上記走査側駆動回路が上記一方の極性のパルス電圧を印加する発光フレームにおいて、上記データ側電極ラインに電圧を印加せず、上記他方の電極のパルス電圧を印加する発光フレームにおいて、上記データ側電極ラインに一方の極性のパルス電圧を印加する一方、上記走査側駆動回路が上記一方の極性のパルス電圧を印加する非発光フレームにおいて、上記データ側電極ラインに上記一方の電極のパルス電圧を印加し、上記他方の電極のパルス電圧を印加する非発光フレームにおいて、上記データ側電極ラインに電圧を印加しないものである容量性表示装置。
【請求項７】
請求項１又は３に記載された容量性表示装置において、
上記容量性発光層は無機エレクトロルミネッセンス発光層である容量性表示装置。
【発明の詳細な説明】
【技術分野】
【０００１】
本発明は容量性表示装置に関する。
【背景技術】
【０００２】
近年、例えば、無機エレクトロルミネッセンス表示装置（以下、「無機ＥＬ表示装置」とすることがある。）やプラズマ表示装置等に代表される容量性表示装置の研究が盛んに行われている。
【０００３】
一般的に、容量性表示装置は、並行に延びる複数の走査側電極ラインと、走査側電極ラインと交差する方向に並行に延びる複数のデータ側電極ラインと、走査側電極ラインとデータ側電極ラインとの間に設けられた発光層とを備えている。通常、容量性表示装置は、データ側電極ラインに発光／非発光を決定する表示データに対応する変調電圧を印加する一方、走査側電極ラインに書き込み電圧を順次印加していくことにより駆動される。
【０００４】
容量性表示装置の階調表示方式としては、例えば、特許文献１等に記載されたパルス幅変調方式などが挙げられる。このパルス幅変調方式とは、走査側電極ラインにパルス波形又はランプ波形の書き込み電圧を印加し、データ側電極ラインに、階調表示データに応じたパルス幅の変調電圧を、書き込み電圧の印加が開始された後に印加することによって、各発光フレームにおいて、発光層に発光閾電圧以上の電圧が印加されている時間を相互に異ならせる方式をいう。
【０００５】
ところで、近年、透明な表示装置に対するニーズが高まってきており、容量性表示装置としても、走査側電極ラインとデータ側電極ラインとの両方を透明導電性酸化物（例えば、ＩＴＯ等）で形成した透明なものが提案されている。
【特許文献１】特開平３−１８６８９２号公報
【発明の開示】
【発明が解決しようとする課題】
【０００６】
しかしながら、透明導電性酸化物は、従来電極ラインの形成に使用されていた金属（アルミニウムや銀等）と比較して非常に高い電気抵抗を有する。このため、走査側電極ラインを透明導電性酸化物で形成した容量性表示装置において、上述したパルス幅階調表示方式のように、書き込み電圧の印加が開始された後に、その書き込み電圧と同一極性の変調電圧を印加する駆動方式を採用した場合、データ側電極ラインの電位が変動したときに（充電又は放電が発生したときに）、容量結合が発生して、走査側電極ラインの電位が意図せず変動する虞がある。走査側電極ラインの電位が変動した場合、発光層に過電圧が印加され、素子破壊がおこる虞がある。
【０００７】
本発明は係る点に鑑みてなされたものであり、その目的とするところは、発光層への過電圧印加が抑制された容量性表示装置を提供することにある。
【課題を解決するための手段】
【０００８】
上記目的を達成するために、本発明に係る第１の容量性表示装置は、
実質的に透明導電性酸化物からなり、並行に延びる複数の走査側電極ラインと、
複数の走査側電極ラインと交差する方向に並行に延びる複数のデータ側電極ラインと、
複数の走査側電極ラインと複数のデータ側電極ラインとの間に設けられ、発光閾電圧以上の電圧が印加されることにより発光する容量性発光層と、
走査側電極ラインにフレーム毎に交互に極性の異なるパルス電圧を印加する走査側駆動回路と、
容量性発光層を発光させる発光フレームにおいて、データ側電極ラインに電圧を印加せず、又は走査側駆動回路がパルス電圧の印加を開始した後に走査側駆動回路が印加する電圧と逆極性のパルス電圧を印加して容量性発光層に印加される電圧をその発光閾電圧以上とする一方、容量性発光層を発光させない非発光フレームにおいて、データ側電極ラインに電圧を印加せずに、又は走査側駆動回路がパルス電圧の印加を開始した後に走査側駆動回路が印加する電圧と同一極性のパルス電圧を印加して容量性発光層に印加される電圧をその発光閾電圧未満とするデータ側駆動回路と、
を備え、
データ側駆動回路は、走査側駆動回路が印加するパルス電圧と同一極性のパルス電圧を印加する非発光フレームにおいて、１又は複数のデータ側電極ライン毎に異なるタイミングでパルス電圧の印加を開始するものであることを特徴とする。
【０００９】
本発明に係る第１の容量性表示装置において、データ側駆動回路は、走査側駆動回路が印加するパルス電圧と同一極性のパルス電圧を印加する非発光フレームにおいて、その充電時間が走査側駆動回路の充電時間よりも長いものであることが好ましい。
本発明に係る第２の容量性表示装置は、
実質的に透明導電性酸化物からなり、並行に延びる複数の走査側電極ラインと、
複数の走査側電極ラインと交差する方向に並行に延びる複数のデータ側電極ラインと、
複数の走査側電極ラインと複数のデータ側電極ラインとの間に設けられ、発光閾電圧以上の電圧が印加されることにより発光する容量性発光層と、
走査側電極ラインにフレーム毎に交互に極性の異なるパルス電圧を印加する走査側駆動回路と、
容量性発光層を発光させる発光フレームにおいて、データ側電極ラインに電圧を印加せずに、又は走査側駆動回路がパルス電圧の印加を開始した後に走査側駆動回路が印加する電圧と逆極性のパルス電圧を印加して容量性発光層に印加される電圧をその発光閾電圧以上とする一方、容量性発光層を発光させない非発光フレームにおいて、データ側電極ラインに電圧を印加せずに、又は走査側駆動回路がパルス電圧の印加を開始した後に走査側駆動回路が印加する電圧と同一極性のパルス電圧を印加して容量性発光層に印加される電圧をその発光閾電圧未満とするデータ側駆動回路と、
を備え、
データ側駆動回路は、走査側駆動回路が印加するパルス電圧と同一極性のパルス電圧を印加する非発光フレームにおいて、その充電時間が走査側駆動回路の充電時間よりも長いものであることを特徴とする。
【００１０】
本発明に係る第２の容量性表示装置において、データ側駆動回路は、走査側駆動回路が印加するパルス電圧と同一極性のパルス電圧を印加する非発光フレームにおいて、１又は複数のデータ側電極ライン毎に異なるタイミングでパルス電圧の印加を開始するものであることが好ましい。
【００１１】
本発明に係る第１又は第２の容量性表示装置において、各走査側電極ラインは、実質的に透明導電性酸化物（例えば、インジウムスズ酸化物（ＩＴＯ）、インジウム亜鉛酸化物（ＩＺＯ）、酸化錫（ＳｎＯ）など）からなるものであることが好ましい。
【００１２】
本発明に係る第１又は第２の容量性表示装置において、走査側駆動回路は、一方の極性の発光閾電圧以上の一方の極性のパルス電圧と、他方の極性の発光閾電圧未満の他方の極性のパルス電圧とを交互に印加するものであり、データ側駆動回路は、走査側駆動回路が一方の極性のパルス電圧を印加する発光フレームにおいて、データ側電極ラインに電圧を印加せず、他方の電極のパルス電圧を印加する発光フレームにおいて、データ側電極ラインに一方の極性のパルス電圧を印加する一方、走査側駆動回路が一方の極性のパルス電圧を印加する非発光フレームにおいて、データ側電極ラインに一方の電極のパルス電圧を印加し、他方の電極のパルス電圧を印加する非発光フレームにおいて、データ側電極ラインに電圧を印加しないものであってもよい。
【００１３】
本発明に係る第１又は第２の容量性表示装置において、容量性発光層は無機エレクトロルミネッセンス発光層であってもよい。
【発明の効果】
【００１４】
本発明によれば発光層への過電圧印加を抑制することができる。
【発明を実施するための最良の形態】
【００１５】
以下、本発明の実施形態について、図面を参照しながら詳細に説明する。尚、ここでは、無機ＥＬ表示装置を例に挙げて本発明の実施形態について説明するが、本発明に係る容量性表示装置は、無機ＥＬ表示装置に限定されるものではない。本発明は、無機ＥＬ表示装置をはじめ、例えば、プラズマ表示装置、液晶表示装置等の容量性表示装置一般に好適に適用されるものである。
【００１６】
（実施形態１）
図１は本実施形態１に係る無機ＥＬ表示装置１の構成を表す図である。
【００１７】
図２は無機ＥＬ表示装置１におけるデータ側駆動回路３０の構成を表す図である。
【００１８】
図３は無機エレクトロルミネッセンス表示パネル１０の構成を表す一部切欠き斜視図である。
【００１９】
無機ＥＬ表示装置１は、無機エレクトロルミネッセンス表示パネル（以下、「無機ＥＬ表示パネル」とすることがある。）１０と、走査側駆動回路２０と、データ側駆動回路３０と、走査側電源回路４１と、データ側電源回路４２とを備えている。無機ＥＬ表示パネル１０は、基板１１と、複数のデータ側電極ラインＹ（詳細には、Ｙ1〜Ｙjのｊ本のデータ側電極ライン）と、第１の誘電層１２と、容量性発光層たる無機エレクトロルミネッセンス発光層（以下、「無機ＥＬ発光層」とすることがある。）１３と、第２の誘電層１４と、複数の走査側電極ラインＸ（詳細には、Ｘ1〜Ｘiのｉ本の走査側電極ライン）とを備えている。
【００２０】
複数のデータ側電極ラインＹは、基板１１の上に、並行に延びるようにストライプ状に形成されている。第１の誘電層１２は、複数のデータ側電極ラインＹの上に形成されている。第１の誘電層１２の上には、無機ＥＬ発光層１３が形成されている。無機ＥＬ発光層１３は、所定の発光閾電圧以上の電圧が印加された場合に発光する（エレクトロルミネッセンス光を生ずる）層である。第２の誘電層１４は無機ＥＬ発光層１３の上に形成されている。複数の走査側電極ラインＸは、第２の誘電層１４の上に、データ側電極ラインＹの延びる方向に交差する方向に（典型的には、データ側電極ラインＹと直交する方向に）並行に延びるようにストライプ状に形成されている。
【００２１】
複数の走査側電極ラインＸは、実質的に透明導電性酸化物からなるものである。上記複数のデータ側電極ラインＹも実質的に透明導電性酸化物からなるものであってもよい。走査側電極ラインＸ及びデータ側電極ラインＹの両方を透明導電性酸化物により形成することによって、透明な無機ＥＬ表示装置１を実現することが可能となる。尚、透明導電性酸化物としては、具体的に、インジウムスズ酸化物（ＩＴＯ）、インジウム亜鉛酸化物（ＩＺＯ）、酸化錫（ＳｎＯ）等が挙げられる。
【００２２】
各データ側電極ラインＹ1〜Ｙjはデータ側駆動回路３０に電気的に接続されている。データ側駆動回路３０はデータ側電源回路４２に電気的に接続されている。データ側電源回路４２は＋Ｖ3ボルトのパルス状の変調電圧を選択的にデータ側駆動回路３０に供給するものである。データ側駆動回路３０は、データ側電源回路４２から供給されるパルス状の変調電圧を表示データに応じて複数のデータ側電極ラインＹ1〜Ｙjのそれぞれに印加するものである。
【００２３】
尚、図２に示すように、データ側駆動回路３０は、プッシュプルドライバＩＣからなる駆動回路であって、複数のプルアップスイッチング素子３３、複数のプルダウンスイッチング素子３４、これらスイッチング素子３３、３４をオン／オフ制御する論理回路（シフトレジスタラッチ回路３１、カウンタ・コンパレータ回路３２等）が含まれる。
【００２４】
一方、各走査側電極ラインＸは走査側駆動回路２０に電気的に接続されている。走査側駆動回路２０は走査側電源回路４１に電気的に接続されている。走査側電源回路４１は＋Ｖ1ボルト又は−Ｖ2ボルトのパルス状の書き込み電圧を選択的に走査側駆動回路２０に供給するものである。走査側駆動回路２０は、複数の走査側電極ラインＸ1〜Ｘiのそれぞれにフレーム毎に交互に極性が異なるように、走査側電源回路４１から供給されたパルス状の書き込み電圧を順次印加していくものである。すなわち、各フレームにおいては、同一極性の書き込み電圧が複数の走査側電極ラインＸ1〜Ｘiに順次印加される。ひとつの走査側電極ラインＸに着目すると、フレームが変わる毎に交互に極性の異なるパルス状の書き込み電圧が印加されることとなる。具体的には、走査側駆動回路２０は、例えば、まず＋Ｖ1の書き込み電圧を複数の走査側電極ラインＸ1〜Ｘiに順次印加していく。そして、次のフレームでは、−Ｖ2の書き込み電圧を複数の走査側電極ラインＸ1〜Ｘiに順次印加していく。この複数の走査側電極ラインＸ1〜Ｘiに＋Ｖ1の書き込み電圧を順次印加していく工程と、複数の走査側電極ラインＸ1〜Ｘiに−Ｖ2の書き込み電圧を順次印加していく工程とが交互に繰り返し行われる。
【００２５】
尚、本実施形態において、｜＋Ｖ1｜は｜−Ｖ2｜よりも大きく、且つ、下記数式を満たすものとする。
【００２６】
｜＋Ｖ1｜＞Ｖth
｜−Ｖ2｜＞Ｖth
｜Ｖ1−Ｖ3｜＜Ｖth
｜Ｖ2＋Ｖ3｜＞Ｖth
ここで、Ｖthとは発光閾値電圧の絶対値である。
【００２７】
次に、本実施形態に係る無機ＥＬ表示装置１における駆動方式の概要について、図４を用いて説明する。尚、ここで説明する駆動方式はあくまで一例であり、本発明に係る容量性表示装置は以下に説明する駆動方式のものに限定されない。
【００２８】
図４は無機ＥＬ表示装置１における駆動方式の概要を説明するための図である。
【００２９】
まず、図４を参照しながら無機ＥＬ発光層１３が発光する発光フレームについて説明する。走査側駆動回路２０が走査側電極ラインＸに＋Ｖ1の書き込み電圧を印加する発光フレーム（図４における発光フレーム・パターン１）においては、データ側駆動回路３０はデータ側電極ラインＹに電圧を印加しない。このため、無機ＥＬ発光層１３に加わる電圧は＋Ｖ1となる。ここで、上述のように、｜＋Ｖ1｜＞Ｖthであるため、無機ＥＬ発光層１３からエレクトロルミネッセンス光が出射される。
【００３０】
走査側駆動回路２０が走査側電極ラインＸに−Ｖ2の書き込み電圧を印加する発光フレーム（図４における発光フレーム・パターン２）においては、データ側駆動回路３０は、データ側電極ラインＹに、走査側駆動回路２０が走査側電極ラインＸに印加する電圧（−Ｖ2）とは逆極性の＋Ｖ3の変調電圧を印加する。このため、無機ＥＬ発光層１３に加わる電圧は−Ｖ2−Ｖ3となる。ここで、上述のように、｜Ｖ2＋Ｖ3｜＞Ｖthであるため、無機ＥＬ発光層１３からエレクトロルミネッセンス光が出射される。
【００３１】
次に非発光フレームについて説明する。走査側駆動回路２０が走査側電極ラインＸに＋Ｖ1の書き込み電圧を印加する非発光フレーム（図４における非発光フレーム・パターン１）においては、データ側駆動回路３０はデータ側電極ラインＹに、走査側駆動回路２０が走査側電極ラインＸに印加する電圧（＋Ｖ1）と同一極性の＋Ｖ3の変調電圧を印加する。このため、無機ＥＬ発光層１３に加わる電圧はＶ1−Ｖ3となる。ここで、上述のように、｜Ｖ1−Ｖ3｜＜Ｖthであるため、無機ＥＬ発光層１３は発光しない。
【００３２】
走査側駆動回路２０が走査側電極ラインＸに−Ｖ2の書き込み電圧を印加する非発光フレーム（図４における非発光フレーム・パターン２）においては、データ側駆動回路３０はデータ側電極ラインＹに電圧を印加しない。このため、無機ＥＬ発光層１３に加わる電圧は−Ｖ2となる。ここで、上述のように、｜−Ｖ2｜＞Ｖthであるため、無機ＥＬ発光層１３は発光しない。
【００３３】
以上、説明した４つのパターンを組み合わせることによって、無機ＥＬ表示装置１は画像等を表示する。
【００３４】
詳細には、本実施形態１において、走査側駆動回路２０が走査側電極ラインＸに書き込み電圧＋Ｖ1を印加すると共に、データ側駆動回路３０がデータ側電極ラインＹに、走査側電極ラインＸに印加される書き込み電圧（＋Ｖ1）と同一極性の変調電圧（＋Ｖ3）を印加する非発光フレーム（図４に非発光フレーム・パターン１で示すフレーム）において、データ側駆動回路３０は、走査側駆動回路２０が走査側電極ラインＸにパルス状の書き込み電圧＋Ｖ1の印加を開始した後に、変調電圧の印加を開始する。且つ、データ側駆動回路３０は、１又は複数のデータ側電極ライン毎に異なるタイミングで変調の印加を開始する。具体的に本実施形態１においては、データ側駆動回路３０は、図１において右側半分に位置するデータ側電極ラインＹ（データ側電極ラインＹ1〜Ｙ(j/2)）と、図１において左半分に位置するデータ側電極ラインＹ（データ側電極ラインＹ(j/2-1）〜Ｙj）とに相互に異なるタイミングで変調電圧の印加を開始する。尚、本発明はこの駆動方式に限定されるものではなく、例えば、データ側駆動回路３０は、データ側電極ラインＹ１本毎に異なるタイミングで変調電圧の印加を開始するものであってもよい。また、図１において右側１／３に位置するデータ側電極ラインＹと、中央１／３に位置するデータ側電極ラインＹと、左側１／３に位置するデータ側電極ラインＹとに相互に異なるタイミングで変調電圧の印加を開始するものであってもよい。
【００３５】
以下、この非発光フレーム・パターン１におけるデータ側駆動回路３０の動作について、図５を参照しながら詳細に説明する。
【００３６】
図５は非発光フレーム・パターン１におけるデータ側駆動回路３０の動作を説明するためのグラフである。尚、図５〜７において「Ａ」で示す線は走査側駆動回路２０が走査側電極ラインＸに印加する書き込み電圧を表す。「Ｂ」で示す線はデータ側駆動回路３０がデータ側電極ラインＹに印加する変調電圧を表す。詳細には、「Ｂ１」で示す線はデータ側駆動回路３０がデータ側電極ラインＹ1〜Ｙ(j/2)に印加する変調電圧を表す。「Ｂ１」で示す線はデータ側駆動回路３０がデータ側電極ラインＹ(j/2-1)〜Ｙjに印加する変調電圧を表す。「Ｃ」で示す線は、走査側電極ラインＸiとデータ側電極ラインＹ2〜Ｙjとにより構成される画素が非発光フレーム・パターン１で（つまり、走査側電極ラインＸiに書き込み電圧＋Ｖ1が印加され、データ側電極ラインＹ2〜Ｙjには変調電圧＋Ｖ3が印加され）、走査側電極ラインＸiとデータ側電極ラインＹ1とにより構成される画素のみが発光フレーム・パターン１である（つまり、走査側電極ラインＸiに書き込み電圧＋Ｖ1が印加され、データ側電極ラインＹ2〜Ｙjには電圧が印加されない）場合の走査側電極ラインＸiの電位変動を表す。
【００３７】
図５に示すように、ある非発光フレーム・パターン１において、時間ｔ1から走査側駆動回路２０が走査側電極ラインＸに＋Ｖ1の書き込み電圧の印加を開始する。時間ｔ1に遅れて、時間ｔ2から、データ側駆動回路３０は、データ側電極ラインＹ1〜Ｙ(j/2)に＋Ｖ3の変調電圧の印加を開始する。さらに時間ｔ2に遅れて、時間ｔ3から、データ側駆動回路３０は、データ側電極ラインＹ(j/2-1)〜Ｙjに＋Ｖ3の変調電圧の印加を開始する。
【００３８】
本実施形態１に係る無機ＥＬ表示装置１は、このような駆動方式であるため、素子破壊がおこりにくく、また高品位な画像表示が可能となる。この効果をより説明するために、まず、図６を参照しながら、非発光フレーム・パターン１において、走査側駆動回路２０が走査側電極ラインＸに電圧＋Ｖ1を印加するタイミングに遅れて、すべてのデータ側電極ラインＹに同時に電圧＋Ｖ3が印加される従来の無機ＥＬ表示装置の場合について説明する。
【００３９】
図６は、従来の無機ＥＬ表示装置での、非発光フレーム・パターン１における走査側電極ラインＸの電位変化を表すグラフである。
【００４０】
図６に示すように、従来の無機ＥＬ表示装置では、例えば、走査側電極ラインＸiとデータ側電極ラインＹ2〜Ｙjにより構成される画素が非発光フレーム・パターン１で（つまり、走査側電極ラインＸiに書き込み電圧＋Ｖ1が印加され、データ側電極ラインＹ2〜Ｙjには変調電圧＋Ｖ3が印加され）、走査側電極ラインＸiとデータ側電極ラインＹ1とにより構成される画素のみが発光フレーム・パターン１である（つまり、走査側電極ラインＸiに書き込み電圧＋Ｖ1が印加され、データ側電極ラインＹ1にのみ電圧が印加されない）場合に、走査側電極ラインＸiに大きな（ΔＶの）過電圧が印加されてしまう。過電圧ΔＶの大きさが大きく、（＋Ｖ1＋ΔＶ−Ｖ3）がＶthよりも大きくなってしまうような場合は、非発光とさせようとする無機ＥＬ発光層１３にも発光閾電圧以上の電圧が印加されることとなり、発光してしまう結果となる。また、ΔＶが大きいと素子破壊がおこる虞もある。
【００４１】
それに対して、本実施形態１に係る無機ＥＬ表示装置１では、上述のように、データ側電極ラインＹ1〜Ｙ(j/2)に変調電圧の印加が開始されるタイミング（ｔ2）と、データ側電極ラインＹ(j/2-1)〜Ｙjに変調電圧の印加が開始されるタイミング（ｔ3）とが相互に異なる。このため、同時に変調電圧の印加が開始されるデータ側電極ラインＹの本数が比較的少なくなる。従って、図５の線Ｃで示すように、走査側電極ラインＸiにかかる過電圧の大きさ（ΔＶ）が比較的小さくなる。この結果、素子破壊や意図せぬ画素の発光が抑制される。
【００４２】
走査側電極ラインＸiにかかる過電圧ΔＶを小さくする観点からは、データ側電極ラインＹ毎に変調電圧の印加を開始するタイミングを相互に異ならしめることが最も好ましいといえるが、同時に変調電圧の印加を開始するデータ側電極ラインＹの本数が少なくなると共に制御回路が複雑化する傾向にある。
【００４３】
また、データ側駆動回路３０の充電時間が長いほど走査側電極ラインＸiにかかる過電圧の大きさ（ΔＶ）が小さくなる傾向にある。このため、データ側駆動回路３０の充電時間（Δｔ2及びΔｔ3）が長い方が好ましい。具体的には、データ側駆動回路３０の充電時間（Δｔ2及びΔｔ3）は走査側駆動回路２０の充電時間（Δｔ1）よりも長いことが好ましい。尚、充電時間Δｔ2とΔｔ3とは、同じであってもよく、また相互に異なっていてもよい。
【００４４】
（実施形態２）
本実施形態２に係る無機ＥＬ表示装置は、データ側駆動回路３０の動作を除いては上記実施形態１に係る無機ＥＬ表示装置１と同様の構成を有する。ここでは、本実施形態２に係る無機ＥＬ表示装置におけるデータ側駆動回路３０の動作について詳細に説明する。尚、本実施形態２の説明において、図１〜図４は実施形態１と共通に参照する。また、実質的に同じ機能を有する構成要素を実施形態１と共通の参照符号で説明し、説明を省略する。
【００４５】
図７は、本実施形態２における、非発光フレーム・パターン１におけるデータ側駆動回路３０の動作を説明するためのグラフである。
【００４６】
本実施形態２では、データ側駆動回路３０は、すべてのデータ側電極ラインＹに同時に電圧＋Ｖ3を印加する。但し、図７に示すように、データ側駆動回路３０の充電時間（Δｔ2）が比較的長く設定されている。具体的には、データ側駆動回路３０の充電時間（Δｔ2）は走査側駆動回路２０の充電時間（Δｔ1）よりも長く設定されている。このため、本実施形態２では、上述のように、データ側電極ラインＹの充電時間が長いほど走査側電極ラインＸiにかかる過電圧の大きさ（ΔＶ）が小さい。このため、素子破壊や意図せぬ画素の発光が抑制される。
【産業上の利用可能性】
【００４７】
以上説明したように、本発明に係る容量性表示装置は、発光層への過電圧の印加が抑制されたものであるため、携帯電話、ＰＤＡ、テレビ、電子ブック、モニター、電子ポスター、時計、電子棚札、非常案内等に有用である。
【図面の簡単な説明】
【００４８】
【図１】実施形態１に係る無機ＥＬ表示装置１の構成を表す図である。
【図２】無機ＥＬ表示装置１におけるデータ側駆動回路３０の構成を表す図である。
【図３】無機ＥＬ表示パネル１０の構成を表す一部切欠き斜視図である。
【図４】無機ＥＬ表示装置１における駆動方式の概要を説明するための図である。
【図５】非発光フレーム・パターン１におけるデータ側駆動回路３０の動作を説明するためのグラフである。
【図６】従来の無機ＥＬ表示装置１での、非発光フレーム・パターン１における走査側電極ラインＸの電位変化を表すグラフである。
【図７】実施形態２における、非発光フレーム・パターン１におけるデータ側駆動回路３０の動作を説明するためのグラフである。
【符号の説明】
【００４９】
１      無機ＥＬ表示装置
１０      無機ＥＬ表示パネル
１１      基板
１２      第１の誘電層
１３      無機ＥＬ発光層
１４      第２の誘電層
２０      走査側駆動回路
３０      データ側駆動回路
３１      シフトレジスタラッチ回路
３２      カウンタ・コンパレータ回路
３３      プルアップスイッチング素子
３４      プルダウンスイッチング素子
４１      走査側電源回路
４２      データ側電源回路
【図１】
2007219339.tif 000003
【図２】
2007219339.tif 000004
【図３】
2007219339.tif 000005
【図４】
2007219339.tif 000006
【図５】
2007219339.tif 000007
【図６】
2007219339.tif 000008
【図７】
2007219339.tif 000009